(57)【要約】【課題】異なるカード規格のＩＣモジュールを複数備えているにもかかわらず、１個のリーダライタのみで各ＩＣモジュールとの間で個別に送受信を確立できるマルチアプリケーションＩＣカードを提供する。併せてＩＣカードの構造を簡素化して全体コストを削減する。【解決手段】カード本体４に、第１ＩＣモジュール１と、第２ＩＣモジュール２と、アンテナ３とを設ける。アンテナ３の始端リード部８、および終端リード部９のそれぞれに、第１・第２の両ＩＣモジュール１・２を並列接続して、両ＩＣモジュール１・２でアンテナ３を共有する。リーダライタ２０に、個々のＩＣモジュール１・２に対応したアプリケーションプログラムを格納する。リーダライタ２０から送信される起動コマンドの違いで、複数のＩＣモジュール１・２を個別に起動させて、リーダライタ２０と前記ＩＣモジュール１・２のひとつとが択一的に送受信できるようにする。【選択図】図１
2011070321.tif 000002
【特許請求の範囲】
【請求項１】
カード本体（４）に、それぞれ異なるカード規格のアプリケーションプログラムが格納された複数個のＩＣモジュール（１・２）と、１個のアンテナ（３）とが設けてあるＩＣカードであって、
前記ＩＣモジュール（１・２）は、アンテナ（３）の始端リード部（８）、および終端リード部（９）に対してそれぞれ並列接続されてアンテナ（３）を共有しており、
リーダライタ（２０）には、個々のＩＣモジュール（１・２）に対応したアプリケーションプログラムが格納されており、
リーダライタ（２０）から送信される起動コマンドの違いで、複数のＩＣモジュール（１・２）を個別に起動させて、リーダライタ（２０）と前記ＩＣモジュール（１・２）のひとつとが択一的に送受信できることを特徴とするマルチアプリケーションＩＣカード。
【請求項２】
アンテナ（３）の共振周波数が、前記ＩＣモジュール（１・２）のいずれかひとつのカード規格に対応した電磁波の周波数に一致させてある請求項１に記載のマルチアプリケーションＩＣカード。
【請求項３】
カード本体（４）に第１ＩＣモジュール（１）と、第２ＩＣモジュール（２）が実装されており、
両ＩＣモジュール（１・２）のそれぞれに、一対の接続端子部（１５・１６）が設けられており、
前記接続端子部（１５・１６）が、一対の接続リード（１７）で並列に接続されており、
前記接続リード（１７）の一方に始端リード部（８）が接続され、残る接続リード（１７）に終端リード部（９）が接続してある請求項２に記載のマルチアプリケーションＩＣカード。
【請求項４】
カード本体（４）に第１ＩＣモジュール（１）と、第２ＩＣモジュール（２）が実装されており、
両ＩＣモジュール（１・２）のそれぞれに、一対の接続端子部（１５・１６）が設けられており、
始端リード部（８）および終端リード部（９）の導出中途部が、第１ＩＣモジュール（１）の一対の接続端子部（１５・１５）に電気的に接続されており、
始端リード部（８）および終端リード部（９）の導出端が、第２ＩＣモジュール（２）の一対の接続端子部（１６・１６）に電気的に接続してある請求項２に記載のマルチアプリケーションＩＣカード。
【請求項５】
カード本体（４）に、カード規格が同じ複数個のＩＣモジュール（１・２）と、１個のアンテナ（３）とが設けてあるＩＣカードであって、
前記ＩＣモジュール（１・２）は、アンテナ（３）の始端リード部（８）、および終端リード部（９）に対してそれぞれ並列接続されてアンテナ（３）を共有しており、
リーダライタ（２０）と前記複数のＩＣモジュール（１・２）の少なくともいずれかひとつとの間で通信を行なうことができることを特徴とするＩＣカード。
【請求項６】
前記複数個のＩＣモジュール（１・２）が、それぞれアンチコリジョン対応のＩＣモジュールで構成されており、
リーダライタ（２０）と、複数のＩＣモジュール（１・２）のひとつとの間で択一的に送受信できる請求項５に記載のＩＣカード。
【発明の詳細な説明】
【技術分野】
【０００１】
本発明は、非接触でデータを送受信する複数のＩＣモジュールを備えたマルチアプリケーションＩＣカード、およびＩＣカードに関する。
【背景技術】
【０００２】
この種のＩＣカードは、例えば特許文献１に公知である。そこでは、第１アンテナおよび第１ＩＣモジュールと、第２アンテナおよび第２ＩＣモジュールと、第１・第２の両ＩＣモジュールに接続されるＣＰＵチップなどをカード本体に実装して、非接触式のマルチアプリケーションＩＣカードを構成している。この種のＩＣカードに類似するＩＣカードは特許文献２、３にも見ることができる。
【先行技術文献】
【特許文献】
【０００３】
【特許文献１】特許第４０３５８７３号公報（段落番号００３０、図３、図５）
【特許文献２】特開２００９−０４３１６７号公報（段落番号００１５、図１）
【特許文献３】特開２００５−１９００４３号公報（段落番号００１１、図１）
【発明の概要】
【発明が解決しようとする課題】
【０００４】
特許文献１のマルチアプリケーションＩＣカードによれば、規格が異なる第１・第２の両ＩＣモジュールで送受信を行なって、１枚のＩＣカードで２種類のカード機能を発揮できる。例えば、身分証、登録証、クレジットカードなどの個人認証機能、許可証、免許証、パスポートなどの資格認証機能、あるいは電子通貨機能などの各種のカード機能から選択される、ふたつのカード機能を発揮することができる。さらに、ＩＣモジュールおよびアンテナを追加することにより、３以上のカード機能を発揮できるマルチアプリケーションＩＣカードとすることができるであろう。
【０００５】
しかし、各ＩＣモジュールごとに専用のアンテナを設けるので、ＩＣカードの構造が複雑になるのはもちろんのこと、各構成部品をカード本体に組み付けるのに多くの手間が掛かり、ＩＣカードの全体コストが嵩むのを避けられない。また、一方のカード機能を利用するとき、他方のカード機能を継続して利用するには、各カード機能に対応した２種類のリーダライタを用意する必要があり、リーダライタの設置費用が嵩みカード発行者の経済的な負担が増す。リーダライタを設置するのに必要なスペースも大となる。特許文献２、３のマルチアプリケーションＩＣカードにおいても同様の問題点がある。
【０００６】
本発明の目的は、異なるカード規格のＩＣモジュールを複数備えているにもかかわらず、１個のリーダライタのみで各ＩＣモジュールとの間で個別に送受信を確立でき、したがって、ＩＣカードの使用現場における使用形態を簡素化して利便性を向上できるマルチアプリケーションＩＣカードを提供することにある。本発明の目的は、ＩＣカードの構造を簡素化して、従来のＩＣカードに比べて全体コストを削減でき、したがってカード発行者の経済的な負担を減少できるマルチアプリケーションＩＣカードを提供することにある。本発明の目的は、ＩＣモジュールやアンテナの組立をより少ない手間で確実に行なえるマルチアプリケーションＩＣカードを提供することにある。本発明の目的は、複数のＩＣモジュールを備えているにもかかわらず、１個のリーダライタのみで各ＩＣモジュールとの間で個別に送受信を確立できるＩＣカードを提供することにある。
【課題を解決するための手段】
【０００７】
本発明に係るマルチアプリケーションＩＣカードは、カード本体４に、それぞれ異なるカード規格のアプリケーションプログラムが格納された複数個のＩＣモジュール１・２と、１個のアンテナ３とが設けてある。ＩＣモジュール１・２は、アンテナ３の始端リード部８、および終端リード部９に対してそれぞれ並列接続されてアンテナ３を共有している。リーダライタ２０には、個々のＩＣモジュール１・２に対応したアプリケーションプログラムが格納してある。リーダライタ２０から送信される起動コマンドの違いで、複数のＩＣモジュール１・２を個別に起動させて、リーダライタ２０と前記ＩＣモジュール１・２のひとつとが択一的に送受信できることを特徴とする。本発明において異なるカード規格とは、非接触型ＩＣカードにおけるＩＣモジュールの規格を意味し、現状では、密着型、近接型（タイプＡ、タイプＢ）、近傍型、遠隔型などが知られている。
【０００８】
アンテナ３の共振周波数を、ＩＣモジュール１・２のいずれかひとつのカード規格に対応した電磁波の周波数に一致させる。
【０００９】
カード本体４に第１ＩＣモジュール１と、第２ＩＣモジュール２を実装する。両ＩＣモジュール１・２のそれぞれに、一対の接続端子部１５・１６を設ける。接続端子部１５・１６を、一対の接続リード１７で並列に接続する。接続リード１７の一方に始端リード部８を接続し、残る接続リード１７に終端リード部９を接続する。
【００１０】
カード本体４に第１ＩＣモジュール１と、第２ＩＣモジュール２を実装する。両ＩＣモジュール１・２のそれぞれに、一対の接続端子部１５・１６を設ける。始端リード部８および終端リード部９の導出中途部を、第１ＩＣモジュール１の一対の接続端子部１５・１５に電気的に接続する。始端リード部８および終端リード部９の導出端を、第２ＩＣモジュール２の一対の接続端子部１６・１６に電気的に接続する。
【００１１】
本発明に係るＩＣカードにおいては、カード本体４に、カード規格が同じ複数個のＩＣモジュール１・２と、１個のアンテナ３とが設けてある。前記ＩＣモジュール１・２は、アンテナ３の始端リード部８、および終端リード部９に対してそれぞれ並列接続されてアンテナ３を共有している。リーダライタ２０と前記複数のＩＣモジュール１・２の少なくともいずれかひとつとの間で通信を行なうことができる。
【００１２】
前記複数個のＩＣモジュール１・２は、それぞれアンチコリジョン対応のＩＣモジュールで構成する。リーダライタ２０と、複数のＩＣモジュール１・２のひとつとの間で択一的に送受信できるようにする。
【発明の効果】
【００１３】
本発明のマルチアプリケーションＩＣカードでは、異なるカード規格の複数個のＩＣモジュール１・２をアンテナ３に並列接続してアンテナ３を共有できるようにした。また、リーダライタ２０から送信される起動コマンドの違いで、各ＩＣモジュール１・２を個別に起動させて、リーダライタ２０とＩＣモジュール１・２のひとつとが択一的に送受信できるようにした。
【００１４】
したがって、本発明のマルチアプリケーションＩＣカードによれば、カード規格が異なる複数のＩＣモジュール１・２とリーダライタ２０との間で個別に送受信を行なって、１枚のＩＣカードで複数種のカード機能を発揮できる。また、一方のカード機能を利用したのち、他方のカード機能を継続して利用する場合であっても、１個のリーダライタ２０のみで対応できるので、ＩＣカードの使用現場における使用形態を簡素化して利便性を向上できる。さらに、リーダライタ２０の設置費用、および設置に必要なスペースを小さくできる。加えて、１個のアンテナ３を複数のＩＣモジュール１・２で共有するので、ＩＣカードの構造を簡素化して、従来のＩＣカードに比べて全体コストを削減でき、その分だけカード発行者の経済的な負担を減少できる。また、リーダライタ２０から送信される起動コマンドの違いで、各ＩＣモジュール１・２を個別に起動させるので、アンチコリジョンに非対応のＩＣモジュールであっても、支障なく適用できる。
【００１５】
アンテナ３の共振周波数をＩＣモジュール１・２のいずれかひとつのカード規格に対応した電磁波の周波数に一致させると、先のカード規格に対応するひとつのＩＣモジュールに関して、アプリケーションプログラムを変更する必要もなくそのまま使用できる。例えば、カード規格に対応して市販されているＩＣモジュールを購入してカード本体に実装すればよいので、マルチアプリケーションＩＣカードを低コスト化できる。
【００１６】
第１・第２の両ＩＣモジュール１・２に一対の接続端子部１５・１６を設け、接続端子部１５・１６を一対の接続リード１７で並列に接続したうえで、その一方に始端リード部８を、他方に終端リード部９を接続すると、より少ない手間で確実に組立を行なえる。例えば、両ＩＣモジュール１・２の接続端子部１５・１６を、あらかじめ一対の接続リード１７・１７で接続することにより、両ＩＣモジュール１・２と接続リード１７・１７の組立を、カード本体４の外で確実に行なえる。さらに、両ＩＣモジュール１・２をカード本体４に組み付けて位置決めした状態で、始終端の両リード部８・９を接続リード１７・１７に接続すればよく、始終端の両リード部８・９の組立をより少ない手間で確実に行なえる。
【００１７】
始終端の両リード部８・９の導出中途部を、第１ＩＣモジュール１の接続端子部１５に接続し、始終端の両リード部８・９の導出端を、第２ＩＣモジュール２の接続端子部１６に接続すると、アンテナ３の一部を利用して両ＩＣモジュール１・２を並列接続できる。したがって、接続リード１７を省略して、その分だけマルチアプリケーションＩＣカードの製造に要する工数を減らすことができる。
【００１８】
本発明に係るＩＣカードにおいては、カード規格が同じ複数のＩＣモジュール１・２とリーダライタ２０との間で個別に、あるいは両ＩＣモジュール１・２のいずれかひとつと送受信を行なうことができる。両ＩＣモジュール１・２とリーダライタ２０との間で個別に通信を確立する場合には、１枚のＩＣカードで複数種のカード機能を発揮できるなど、マルチアプリケーションＩＣカードと同様の作用効果を発揮できる。さらに、一方のＩＣモジュールを他方のＩＣモジュールのバックアップとして、あるいは一方のＩＣモジュールを他方のＩＣモジュールのメモリーとして、記録容量を拡張することができる。片方のＩＣモジュールが破壊し、あるいは動作不良に陥ったような場合であっても、他方のＩＣモジュールによって支障なくカード機能を発揮することができる。個々のＩＣモジュールに異種の鍵を設定しておくことにより、ＩＣカードに２重のセキュリティ機能を付与することができる。また、情報を複数のＩＣモジュールに記録して置くことにより、複数のＩＣモジュールのデータを復号して初めて、意味を成す有効なデータが得られるようにようにすることができ、セキュリティ性をさらに向上することができる。
【００１９】
複数個のＩＣモジュール１・２のそれぞれをアンチコリジョン対応のＩＣモジュールで構成すると、両ＩＣモジュール１・２とリーダライタ２０との間で個別に通信を確立する場合に、通信の衝突が発生するのを確実に防止できる。したがって、リーダライタ２０と複数のＩＣモジュール１・２のひとつとの間で、択一的な送受信を確実に行なって、１枚のＩＣカードに複数種のカード機能を的確に発揮させることができる。
【図面の簡単な説明】
【００２０】
【図１】ＩＣカードの一部を破断した平面図である。
【図２】ＩＣカードの等価回路を示す説明図である。
【図３】リーダライタとＩＣカードの平面図である。
【図４】別の実施例に係るＩＣカードの一部を破断した平面図である。
【発明を実施するための形態】
【００２１】
（実施例）  本発明に係るマルチアプリケーションＩＣカード（以下、単にＩＣカードという。）の実施例を図１に示す。ＩＣカードは、第１ＩＣモジュール（ＩＣモジュール）１と、第２ＩＣモジュール（ＩＣモジュール）２と、１個のアンテナ３とをカード本体４に実装して構成する。カード本体４はＩＳＯカード規格に合致する、外形が所定寸法のカードからなり、先の各部材１〜３が実装されるカード基部４ａと、各部材１〜３の外面を覆う保護シート４ｂなどで構成する。カード基部４ａは絶縁性を備えたプラスチックシート、フィルム、または絶縁性の紙などを積層して形成でき、あるいはプラスチック成形によって形成することができる。
【００２２】
アンテナ３は、銅の細線をカード基部４ａの各辺部に沿って渦巻状に配置して構成してあり、全体が四角枠状に形成してある。アンテナ３は、渦巻き状のコイル部７と、コイル部７から平行に導出される始端リード部８および終端リード部９とで構成してある。始端リード部８および終端リード部９は、コイル部７より内側のカード基部４ａの表面へ向かって、カード本体４の長辺部と平行に導出してある。これらの両リード部８・９の導出領域に臨む状態で、第１・第２の両ＩＣモジュール１・２を左右に隣接配置してカード本体４に固定してある。
【００２３】
第１ＩＣモジュール１および第２ＩＣモジュール２は、それぞれ金属シートにエッチングを施して形成される長方形状のベース１１・１２と、各ベース１１・１２の片面にモールドされるＩＣチップ１３・１４とで構成してある。両ＩＣモジュール１・２の全厚寸法は０．４ｍｍである。各ＩＣチップ１３・１４を間に挟む各ベース１１・１２の短辺部には、一対の接続端子部１５・１６が設けてある。第１ＩＣモジュール１は、例えば近接型のＩＣカード用のＩＣモジュールと同じ規格のアプリケーションプログラムが格納してあり、さらに各種のデータを格納するメモリー領域などを備えている。また、第２ＩＣモジュール２は、例えば遠隔型のＩＣカード用のＩＣモジュールと同じ規格のアプリケーションプログラムが格納してあり、さらに各種のデータを格納するメモリー領域などを備えている。
【００２４】
異なるカード規格のＩＣモジュール１・２でアンテナ３を共有するために、両ＩＣモジュール１・２の一対の接続端子部１５・１６が、両リード部８・９に対して並列接続してある。具体的には、第１ＩＣモジュール１の接続端子部１５と、第２ＩＣモジュール２の接続端子部１６とを、一対の接続リード１７・１７で並列に接続し、一方の接続リード１７に始端リード部８を接続し、他方の接続リード１７に終端リード部９を接続している。なお、両ＩＣモジュール１・２は、それぞれの接続端子部１５・１６を一対の接続リード１７・１７で接続したのち、カード基部４ａに固定しておくことにより、始端リード部８および終端リード部９の両接続端子部１５・１６に対する接続を簡便に行なうことができる。
【００２５】
両ＩＣモジュール１・２をアンテナ３に並列接続した状態は、図２に示す等価回路に等しく、アンテナ３がコイルに相当し、両ＩＣモジュール１・２はコンデンサに相当する。この等価回路における共振周波数は、ｆ＝１／２Π×√（Ｌ×Ｃ）で求めることができる。但し、Ｌはコイルのインダクタンス、Ｃはコンデンサの静電容量である。コンデンサが並列接続してある場合の、コンデンサの静電容量Ｃ＝（Ｃ１＋Ｃ２）である。したがって、上記の式は、ｆ＝１／２Π×√（Ｌ×（Ｃ１＋Ｃ２））と表記することができ、この式から算出された共振周波数に対応してアンテナ３の長さおよび巻き数を調整した。
【００２６】
得られたアンテナ３の共振周波数は、両ＩＣモジュール１・２のうち、例えば第１ＩＣモジュール１用の電磁波の周波数に一致させてあり、対応するリーダライタ２０と先の周波数の電磁波を介して送受信を行なう。もちろん、電磁波の周波数は、両ＩＣモジュール１・２のカード規格に対応した電磁波の周波数と異なっていてもよい。ちなみに、両ＩＣモジュール１・２を並列接続した場合のアンテナ３は、１個のＩＣモジュールに対応してアンテナを設ける場合に比べて、アンテナの長さを短くできる傾向があり、したがって、銅の細線の使用量を減らして、アンテナ３の占有面積を小さくできる。これは、共振周波数ｆを一定とするとき、コンデンサの静電容量Ｃが大きいほどコイルのインダクタンスＬを小さくでき、インダクタンスＬが小さいほどアンテナ３の長さを小さくできるからである。
【００２７】
２個のＩＣモジュール１・２は、それぞれのカード規格に応じて異なるアプリケーションプログラムが格納してあるので、これを使い分ける必要がある。そのために、リーダライタ２０には、個々のＩＣモジュール１・２に対応したアプリケーションプログラムを格納しておき、リーダライタ２０から送信される起動コマンドの違いで、両ＩＣモジュール１・２を個別に起動できるようにしている。
【００２８】
例えば、第１ＩＣモジュール１に対応する起動コマンドを含む送信データがリーダライタ２０から送信された場合には、第１ＩＣモジュール１が起動コマンドを認識して起動し、リーダライタ２０と送受信を開始する。このときの起動コマンドは第２ＩＣモジュール２にも同時に送信されるが、第２ＩＣモジュール２は起動コマンドであることを認識できないので起動することはない。同様に、第２ＩＣモジュール２に対応する起動コマンドを含む送信データをリーダライタ２０から送信することにより、第２ＩＣモジュール２のみを起動させて、リーダライタ２０との送受信を確立できる。したがって、リーダライタ２０と個々のＩＣモジュール１・２とは択一的に送受信できることとなる。
【００２９】
ユーザーが希望するＩＣカードの使用目的に応じて、特定のＩＣモジュールとリーダライタと間の送受信を確立するために、リーダライタ２０に切り換えスイッチを設けることができる。その場合には、ユーザーが希望するＩＣカードの使用目的に対応してスイッチを切り換えることにより、特定のＩＣモジュールに対応した送信データを送信することができる。あるいは、いずれか一方のＩＣモジュールに対応した起動コマンドを含む送信データを発信して、現在応答しているＩＣモジュールのカード機能の内容を、リーダライタが接続されたコンピュータのディスプレイで表示することができる。その場合には、ユーザーの希望するＩＣカードの使用目的が、現在表示されているカード機能と合致しているか否かで、タッチスイッチ等で送信データを切り換えることができる。
【００３０】
本発明者は、上記構造のＩＣカードを試作し、リーダライタ２０との間で送受信できるか否かを確認した。その結果、各ＩＣモジュール１・２とリーダライタ２０とは、問題なく個別に送受信でき、データの読み込みや書き換えを支障なく行なうことができた。
【００３１】
以上のように構成したＩＣカードによれば、規格が異なる第１・第２の両ＩＣモジュール１・２とリーダライタ２０との間で送受信を行なって、１枚のＩＣカードで２種類のカード機能を発揮できる。たとえば、第１ＩＣモジュール１でＩＣカードの所有者の身分証の機能を発揮し、第２ＩＣモジュール２で電子通貨機能を発揮することができる。また、一方のカード機能を利用したのち、他方のカード機能を継続して利用する場合であっても、１個のリーダライタ２０のみで対応できるので、ＩＣカードの使用現場における使用形態を簡素化して利便性を向上できる。さらに、リーダライタ２０の設置費用、および設置に必要なスペースを小さくできる。
【００３２】
先に説明したように、現在応答しているＩＣモジュールのカード機能の内容をディスプレイで表示することにより、勘違いによるＩＣカードの誤使用を防ぐことができる。１個のアンテナ３を２個のＩＣモジュール１・２で共有するので、ＩＣカードの構造を簡素化して、従来のＩＣカードに比べて全体コストを削減でき、したがってカード発行者の経済的な負担を減少できる。
【００３３】
図４は、ＩＣカードの別の実施例を示す。そこでは、第１ＩＣモジュール１と、第２ＩＣモジュール２を、カード基部４ａの所定位置に固定しておき、始端リード部８および終端リード部９を両ＩＣモジュール１・２に接続するようにした。詳しくは、始端リード部８および終端リード部９の導出中途部を、第１ＩＣモジュール１の一対の接続端子部１５・１５に電気的に接続し、始端リード部８および終端リード部９の導出端を、第２ＩＣモジュール２の一対の接続端子部１６・１６に電気的に接続した。また、図４のＩＣカードにおいては、第３のＩＣモジュール３０と、接触式の入出力端子３１とをカード本体４に設けて、ＩＣカードをさらに多機能化できるようにした。
【００３４】
上記の実施例では、第１ＩＣモジュール１と第２ＩＣモジュール２のカード規格が異なる場合について説明したが、本発明に係るＩＣカードは、次の形態で実施することができる。第１ＩＣモジュール１と第２ＩＣモジュール２のカード規格を同じにして、両ＩＣモジュール１・２を、図１あるいは図４と同様にアンテナ３の始端リード部８および終端リード部９に対して並列に接続する。両ＩＣモジュール１・２は、アンチコリジョン対応のＩＣモジュールで構成してあり、リーダライタ２０と両ＩＣモジュール１・２のひとつとの間で択一的に送受信を行なって、各ＩＣモジュール１・２ごとにデータの更新や格納を行なうことができる。
【００３５】
上記のＩＣカードによれば、先に説明したマルチアプリケーションＩＣカードと同様に、１枚のＩＣカードで２種類のカード機能を発揮できるなど、マルチアプリケーションＩＣカードと同様の作用効果を発揮できる。さらに、一方のＩＣモジュールを他方のＩＣモジュールのバックアップとして使用することにより、片方のＩＣモジュールが破壊し、あるいは動作不良に陥ったような場合であっても、他方のＩＣモジュールによって支障なくカード機能を発揮することができる。個々のＩＣモジュールに異種の鍵を設定しておくことにより、ＩＣカードに２重のセキュリティ機能を付与することができる。また、情報を複数のＩＣモジュールに記録して置くことにより、複数のＩＣモジュールのデータを復号して初めて、意味を成す有効なデータが得られるようにようにすることができ、セキュリティ性をさらに向上することができる。
【００３６】
上記のＩＣカードにおいては、両ＩＣモジュール１・２の一方をメモリー用ＩＣとして使用することができる。その場合には、リーダライタ２０と両ＩＣモジュール１・２のいずれか一方との間で通信を確立して、他方のＩＣモジュールをメモリーとして使用することにより、前記一方のＩＣモジュールの記録容量を拡張することができる。これにより、ＩＣカードのメモリー容量を概ね２倍に増加して格納可能なデータ量を拡大できる。
【００３７】
図１から図４に係る実施例では、近接型と遠隔型の２種のＩＣモジュールをカード本体に組み込む場合について説明したがその必要はなく、密着型、近接型（タイプＡ、タイプＢ）、近傍型、遠隔型、などの各種のＩＣモジュールのうちのふたつ以上を、自由に組み合わせることができる。
【００３８】
本発明のマルチアプリケーションＩＣカード、およびＩＣカードは、アンテナ３をＩＣチップに直接接合したものであってもよい。また、アンテナ３とＩＣモジュール１・２の接合形態に関して、アンテナ３がワイヤで形成してある場合には抵抗溶接で、またアンテナ３がアルミニウムまたは銅をエッチングして形成してある場合には、フリップチップ実装（接着剤）で、それぞれ接合することができる。アンテナ３の配置形態は、実施例で説明した四角枠状である必要はなく、丸枠状や矩形波状など任意形状に形成することができる。アンテナ３は、銅の細線で形成する必要はなく、エッチング（フォトレジスト法）で形成することができる。
【符号の説明】
【００３９】
１  第１ＩＣモジュール
２  第２ＩＣモジュール
３  アンテナ
４  カード本体
８  始端リード部
９  終端リード部
２０  リーダライタ
【図１】
2011070321.tif 000003
【図２】
2011070321.tif 000004
【図３】
2011070321.tif 000005
【図４】
2011070321.tif 000006